(57)【要約】【課題】  エアパージ作業の能率向上を図ることができるようにする。【解決手段】  既設管４に接続してある幹管２に複数の枝管３を分岐接続してあるガス供給用配管Ａ内の空気を、置換用ガスで置換するエアパージ方法であって、枝管の端部を塞いである状態で、幹管に置換用ガスを供給して、その幹管内の空気を置換用ガスで置換した後、幹管内の置換用ガスと枝管内の空気とが混ざり合うように放置する置換工程を、放置後の枝管内のガス濃度が所定濃度に達するまで繰り返す。【選択図】        図２
2006125605.tif 000002
【特許請求の範囲】
【請求項１】
既設管に接続してある幹管に複数の枝管を分岐接続してあるガス供給用配管内の空気を、置換用ガスで置換するエアパージ方法であって、
前記枝管の端部を塞いである状態で、前記幹管に置換用ガスを供給して、その幹管内の空気を前記置換用ガスで置換した後、前記幹管内の置換用ガスと前記枝管内の空気とが混ざり合うように放置する置換工程を、前記放置後の枝管内のガス濃度が所定濃度に達するまで繰り返すエアパージ方法。
【請求項２】
前記置換工程において、前記幹管内を大気圧以下に減圧した後、前記幹管に置換用ガスを供給して、その幹管内の空気を前記置換用ガスで置換する請求項１記載のエアパージ方法。
【請求項３】
前記置換工程において、前記幹管に置換用ガスを前記ガス供給用配管の所定圧力以上になるように圧入して、その幹管内の空気を前記置換用ガスで置換する請求項１記載のエアパージ方法。
【請求項４】
前記置換工程において、
前記幹管内を大気圧以下に減圧した後、前記幹管に置換用ガスを供給して、その幹管内の空気を前記置換用ガスで置換した後、前記幹管内の置換用ガスと前記枝管内の空気とが混ざり合うように放置する第１置換工程と、
前記幹管に置換用ガスを前記ガス供給用配管の所定圧力以上になるように圧入して、その幹管内の空気を前記置換用ガスで置換した後、前記幹管内の置換用ガスと前記枝管内の空気とが混ざり合うように放置する第２置換工程とを繰り返す請求項１記載のエアパージ方法。
【請求項５】
既設管に接続してある幹管に複数の枝管を分岐接続してあるガス供給用配管内の空気を、置換用ガスで置換するエアパージ方法であって、
前記枝管の端部を塞いである状態で、前記枝管内のガス濃度が所定濃度に達するまで、前記幹管に置換用ガスを供給しながら、その幹管内のガスを外部に放出して、前記ガス供給用配管内の空気を前記置換用ガスで置換するエアパージ方法。
【請求項６】
既設管に接続してある幹管に複数の枝管を分岐接続してあるガス供給用配管内の空気を、置換用ガスで置換するエアパージ方法であって、
前記既設管からの供給用ガス圧力よりも高いリリーフ圧力で管外に連通するように作動可能なリリーフ弁を前記枝管の端部に接続しておき、
前記幹管に置換用ガスを前記リリーフ圧力以上になるように供給して、前記ガス供給用配管内の空気を前記置換用ガスで置換するエアパージ方法。
【発明の詳細な説明】
【技術分野】
【０００１】
本発明は、既設管に接続してある幹管に複数の枝管を分岐接続してあるガス供給用配管内の空気を、置換用ガスで置換するエアパージ方法に関する。
【背景技術】
【０００２】
新設団地などにおいて新規にガス供給用配管を敷設した場合は、ガス供給用配管内の空気を置換用ガスで置換するエアパージを実施する必要があるが、このガス供給用配管は、既設管に接続してある幹管に複数の枝管を分岐接続してあるので、敷設時には各枝管の端部をキャップなどで塞いである。
このため、従来のエアパージ方法では、各枝管の端部を塞いである状態で、幹管に置換用ガスを供給して、その幹管内の空気を置換用ガスで置換した後、各枝管の端部を塞いでいるキャップを外して、幹管内の置換用ガスで枝管内の空気を押し出す形態でエアパージを実施している（慣用技術であり、先行技術文献情報を開示できない）。
【発明の開示】
【発明が解決しようとする課題】
【０００３】
このため、多数の枝管の各々について、その枝管の端部を塞いでいるキャップなどを外して、全部の枝管の端部を開放するという作業が煩雑で、エアパージ作業の能率向上を図りにくい欠点がある。
特に、敷設後のガス供給用配管が枝管と共に地中に埋設されているような場合には、各枝管の端部を掘り起こして、枝管端部を開放する必要があり、エアパージ作業の能率向上を一層図りにくい欠点がある。
本発明は上記実情に鑑みてなされたものであって、エアパージ作業の能率向上を図ることができるようにすることを目的とする。
【課題を解決するための手段】
【０００４】
本発明の第１特徴構成は、既設管に接続してある幹管に複数の枝管を分岐接続してあるガス供給用配管内の空気を、置換用ガスで置換するエアパージ方法であって、前記枝管の端部を塞いである状態で、前記幹管に置換用ガスを供給して、その幹管内の空気を前記置換用ガスで置換した後、前記幹管内の置換用ガスと前記枝管内の空気とが混ざり合うように放置する置換工程を、前記放置後の枝管内のガス濃度が所定濃度に達するまで繰り返す点にある。
【０００５】
〔作用及び効果〕
枝管の端部を塞いである状態で、幹管に置換用ガスを供給して、その幹管内の空気を置換用ガスで置換した後、幹管内の置換用ガスと枝管内の空気とが混ざり合うように放置する置換工程では、拡散現象により、幹管内の置換用ガスが枝管内に入り込むとともに、枝管内の空気が幹管内に入り込むが、この置換工程を繰り返す都度、幹管内の空気が混じった置換用ガスは、新たに供給した置換用ガスで置換され、枝管内の置換用ガスが混じった空気は幹管内に入り込むので、幹管内のガス濃度の低下を防止しながら、枝管内のガス濃度を上昇させることができる。
そして、放置後の枝管内のガス濃度が所定濃度に達するまで、置換工程を繰り返すので、枝管の端部を塞いである状態で、つまり、全部の枝管の端部を開放するような作業を伴うことなく、幹管内のガス濃度も、枝管内のガス濃度も所定濃度に達するように、エアパージを実施することができ、エアパージ作業の能率向上を図ることができる。
【０００６】
本発明の第２特徴構成は、前記置換工程において、前記幹管内を大気圧以下に減圧した後、前記幹管に置換用ガスを供給して、その幹管内の空気を前記置換用ガスで置換する点にある。
【０００７】
〔作用及び効果〕
置換工程において、幹管内を大気圧以下に減圧した後、幹管に置換用ガスを供給して、その幹管内の空気を置換用ガスで置換するので、置換後の幹管及び枝管内の空気と置換用ガスとの密度差が大きくなり、従って、幹管内の置換用ガスと枝管内の空気とが混ざり合うように放置したときに、幹管内のガス濃度の低下を防止しながら、枝管内のガス濃度を効率良く上昇させることができる。
【０００８】
本発明の第３特徴構成は、前記置換工程において、前記幹管に置換用ガスを前記ガス供給用配管の所定圧力以上になるように圧入して、その幹管内の空気を前記置換用ガスで置換する点にある。
【０００９】
〔作用及び効果〕
置換工程において、幹管に置換用ガスを前記ガス供給用配管の所定圧力以上になるように圧入して、その幹管内の空気を置換用ガスで置換するので、置換後の幹管及び枝管内の空気と置換用ガスとの密度差が大きくなり、従って、幹管内の置換用ガスと枝管内の空気とが混ざり合うように放置したときに、幹管内のガス濃度の低下を防止しながら、枝管内のガス濃度を効率良く上昇させることができる。
【００１０】
本発明の第４特徴構成は、前記置換工程において、前記幹管内を大気圧以下に減圧した後、前記幹管に置換用ガスを供給して、その幹管内の空気を前記置換用ガスで置換した後、前記幹管内の置換用ガスと前記枝管内の空気とが混ざり合うように放置する第１置換工程と、前記幹管に置換用ガスを前記ガス供給用配管の所定圧力以上になるように圧入して、その幹管内の空気を前記置換用ガスで置換した後、前記幹管内の置換用ガスと前記枝管内の空気とが混ざり合うように放置する第２置換工程とを繰り返す点にある。
【００１１】
〔作用及び効果〕
第１置換工程では、幹管内を大気圧以下に減圧した後、幹管に置換用ガスを供給して、その幹管内の空気を置換用ガスで置換するので、置換後の幹管及び枝管内の空気と置換用ガスとの密度差が大きくなり、従って、幹管内の置換用ガスと枝管内の空気とが混ざり合うように放置したときに、幹管内のガス濃度の低下を防止しながら、枝管内のガス濃度を効率良く上昇させることができる。
また、第２置換工程では、幹管に置換用ガスを前記ガス供給用配管の所定圧力以上になるように圧入して、その幹管内の空気を置換用ガスで置換するので、置換後の幹管及び枝管内の空気と置換用ガスとの密度差がより大きくなり、従って、幹管内の置換用ガスと枝管内の空気とが混ざり合うように放置したときに、幹管内のガス濃度の低下を防止しながら、枝管内のガス濃度を効率良く上昇させることができる。
そして、この第１置換工程と第２置換工程とを置換工程において繰り返すので、置換工程の繰り返し回数が少ない状態で、短時間で、幹管内のガス濃度も、枝管内のガス濃度も所定濃度に達するように、エアパージを実施することができる。
【００１２】
本発明の第５特徴構成は、既設管に接続してある幹管に複数の枝管を分岐接続してあるガス供給用配管内の空気を、置換用ガスで置換するエアパージ方法であって、前記枝管の端部を塞いである状態で、前記枝管内のガス濃度が所定濃度に達するまで、前記幹管に置換用ガスを供給しながら、その幹管内のガスを外部に放出して、前記ガス供給用配管内の空気を前記置換用ガスで置換する点にある。
【００１３】
〔作用及び効果〕
枝管の端部を塞いである状態で、枝管内のガス濃度が所定濃度に達するまで、幹管に置換用ガスを供給しながら、その幹管内のガスを外部に放出して、ガス供給用配管内の空気を置換用ガスで置換するので、全部の枝管の端部を開放するような作業を伴うことなく、幹管内のガス濃度も、枝管内のガス濃度も所定濃度に達するように、エアパージを実施することができ、エアパージ作業の能率向上を図ることができる。
【００１４】
本発明の第６特徴構成は、既設管に接続してある幹管に複数の枝管を分岐接続してあるガス供給用配管内の空気を、置換用ガスで置換するエアパージ方法であって、前記既設管からの供給用ガス圧力よりも高いリリーフ圧力で管外に連通するように作動可能なリリーフ弁を前記枝管の端部に接続しておき、前記幹管に置換用ガスを前記リリーフ圧力以上になるように供給して、前記ガス供給用配管内の空気を前記置換用ガスで置換する点にある。
【００１５】
〔作用及び効果〕
既設管からの供給用ガス圧力よりも高いリリーフ圧力で管外に連通するように作動可能なリリーフ弁を枝管の端部に接続しておき、幹管に置換用ガスをリリーフ圧力以上になるように供給して、ガス供給用配管内の空気を、リリーフ弁を通して、置換用ガスのガス圧力で押し出すように管外に排出して、ガス供給用配管内の空気を置換用ガスで置換できるので、枝管の端部を塞いである状態で、つまり、全部の枝管の端部を開放するような作業を特に伴うことなく、幹管内の空気も、枝管内の空気も置換用ガスで置換することができ、エアパージ作業の能率向上を図ることができる。
また、既設管からの供給用ガス圧力よりも高いリリーフ圧力で管外に連通するように作動可能なリリーフ弁を枝管の端部に接続してあるので、ガス供給用配管内の空気を置換用ガスで置換した後は、ガス供給用配管内に既設管からの供給用ガス圧力が作用しても、置換用ガスがリリーフ弁を通して管外に漏れ出すこともない。
【発明を実施するための最良の形態】
【００１６】
以下に本発明の実施の形態を図面に基づいて説明する。
〔第１実施形態〕
図１は、新設団地などにおいて新規に埋設してある都市ガス供給用配管Ａを示し、このガス供給用配管Ａは、開閉弁１を介して、ループ状の幹管２を既設ガス導管４に接続するとともに、ユーザ宅などに配管するための複数の枝管３をこのループ状の幹管２に分岐接続して設けてあり、各枝管３の端部をキャップ５で塞いで密閉した状態で地中に埋設し、ガス供給用配管Ａに都市ガスが流入しないように開閉弁１を閉じてある。
【００１７】
前記ガス供給用配管Ａ内の空気を、置換用ガスとしての既設ガス導管４から供給される都市ガスで置換する本発明によるエアパージ方法を説明する。
図２に示すように、既設ガス導管４と幹管２との接続部から最も離れた箇所近くの空気放出用に流用する枝管（以下、放出用枝管という）３ａを含む数箇所の枝管３ａ，３ｂを掘り起こし、それら掘り起こし枝管３ａ，３ｂのうちの、放出用枝管３ａ以外の一部の掘り起こし枝管３ｂに装着してあるキャップ５をガス濃度センサー６付きのキャップ５ｂに交換しておく。
【００１８】
そして、開閉弁１を開くとともに、放出用枝管３ａの端部を塞いでいるキャップ５ａを緩める、或いは外して、残りの枝管３の端部をキャップ５ｂ，５ｃで塞いである状態で、既設ガス導管４から幹管２に供給用ガス圧力（０．００２３ＭＰａ程度）の都市ガスを供給するとともに、放出用枝管３ａの端部から幹管２内の空気を管外に放出して、その幹管２内の空気を都市ガスで置換した後、放出用枝管３ａの端部をキャップ５ａで塞いで密閉し、幹管２内の圧力が供給用ガス圧力に略達すると、開閉弁１を閉じて、幹管２内の都市ガスと、端部をキャップ５ｂ，５ｃで塞いである残りの枝管３内の空気とが混ざり合うように所定時間に亘って放置する置換工程を、放置後の枝管３内のガス濃度が所定濃度に達するまで繰り返す。
【００１９】
つまり、ガス濃度センサー６付きのキャップ５ｂを使用して、その枝管３ｂ内のガス濃度を検出し、各ガス濃度センサー６による検出ガス濃度が所定濃度に達していない場合は、前述の置換工程を再度実施する。
尚、二回目以降の置換工程では、幹管２内の空気が混じった都市ガスを新たに供給される都市ガスで置換した後、所定時間に亘って放置することになる。
【００２０】
そして、各ガス濃度センサー６による検出ガス濃度が所定濃度に達すると、全ての枝管３内のガス濃度が所定濃度に達したと判定して、ガス供給用配管Ａのエアパージ作業を終了して、放出用枝管３ａをキャップ５ａで塞いで密閉するとともに、開閉弁１を必要に応じて開いておき、掘り起こした枝管３ａ，３ｂを必要に応じて埋め戻しておく。
【００２１】
〔第２実施形態〕
図３は本発明によるエアパージ方法の別実施形態を示し、既設ガス導管４と幹管２との接続部から最も離れた箇所近くの空気吸引用に流用する枝管（以下、吸引用枝管という）３ｃを含む数箇所の枝管３ｂ，３ｃを掘り起こし、それらの掘り起こし枝管３ｂ，３ｃのうちの、吸引用枝管３ｃには吸引用ポンプ７を接続しておき、吸引用枝管３ｃ以外の一部の掘り起こし枝管３ｂに装着してあるキャップ５をガス濃度センサー６付きのキャップ５ｂに交換しておく。
【００２２】
そして、吸引用ポンプ７の吸引作動で幹管２内及び各枝管３内を大気圧以下に減圧した後、吸引用ポンプ７の吸引作動を停止して開閉弁１を開き、吸引用枝管３ｃ以外の枝管３の端部をキャップ５ｂ，５ｃで塞いである状態で、既設ガス導管４から幹管２に供給用ガス圧力の都市ガスを供給して、その幹管２内の空気を都市ガスで置換した後、幹管２内の圧力が供給用ガス圧力に略達すると、開閉弁１を閉じて、幹管２内の都市ガスと、枝管３内の空気とが混ざり合うように所定時間に亘って放置する置換工程を、放置後の枝管３内のガス濃度が所定濃度に達するまで繰り返す。
【００２３】
そして、放置後の枝管３内のガス濃度が所定濃度に達すると、吸引用枝管３ｃに接続してある吸引用ポンプ７を外して、キャップ５で塞いで密閉しておく。
その他の構成は第１実施形態と同様である。
【００２４】
〔第３実施形態〕
図４は本発明によるエアパージ方法の別実施形態を示し、既設ガス導管４と幹管２との接続部近くの都市ガス供給用に流用する枝管（以下、供給用枝管という）３ｄと、接続部から最も離れた箇所近くの空気放出用に流用する枝管（放出用枝管という）３ａとを含む数箇所の枝管３ａ，３ｂ，３ｄを掘り起こし、それらの掘り起こし枝管３ａ，３ｂ，３ｄのうちの、供給用枝管３ｄには都市ガスを加圧供給可能なコンプレッサー８を接続しておき、放出用枝管３ａ及び供給用枝管３ｄ以外の一部の掘り起こし枝管３ｂに装着してあるキャップ５をガス濃度センサー６付きのキャップ５ｂに交換しておく。
【００２５】
そして、放出用枝管３ａの端部を塞いでいるキャップ５ａを緩める、或いは外して、放出用枝管３ａ及び供給用枝管３ｄ以外の残りの枝管３の端部をキャップ５ｃで塞いである状態で、コンプレッサー８の作動で供給用ガス圧力（ガス供給用配管Ａの所定圧力）以上の高圧に加圧した都市ガスを、供給用枝管３ｄを通して幹管２に圧入するとともに、放出用枝管３ａの端部から幹管２内の空気を管外に放出して、その幹管２内の空気を都市ガスで置換した後、放出用枝管３ａの端部をキャップ５ａで塞いで密閉し、幹管２内の圧力が供給用ガス圧力以上の高圧に達するとコンプレッサー８の作動を停止し、幹管２内の都市ガスと、枝管３内の空気とが混ざり合うように所定時間に亘って放置する置換工程を、放置後の枝管３内のガス濃度が所定濃度に達するまで繰り返す。
【００２６】
そして、放置後の枝管３内のガス濃度が所定濃度に達すると、供給用枝管３ｄに接続してあるコンプレッサー８を外して、キャップ５で塞いで密閉しておく。
その他の構成は第１実施形態と同様である。
【００２７】
〔第４実施形態〕
図５は本発明によるエアパージ方法の別実施形態を示し、既設ガス導管４と幹管２との接続部近くの都市ガス供給用に流用する枝管（以下、供給用枝管という）３ｄと、接続部から最も離れた箇所近くの空気吸引用や空気放出用に流用する枝管（以下、吸引放出用枝管という）３ｅを含む数箇所の枝管３ｂ，３ｄ，３ｅを掘り起こし、それらの掘り起こし枝管３ｂ，３ｄ，３ｅのうちの、供給用枝管３ｄには都市ガスを加圧供給可能なコンプレッサー８を接続しておき、供給用枝管３ｄ及び吸引放出用枝管３ｅ以外の一部の掘り起こし枝管３ｂに装着してあるキャップ５をガス濃度センサー６付きのキャップ５ｂに交換しておく。
【００２８】
そして、第２実施形態で示した置換工程と同様の第１置換工程と、第３実施形態で示した置換工程と同様の第２置換工程とを繰り返す置換工程を、放置後の枝管３内のガス濃度が所定濃度に達するまで繰り返し、放置後の枝管３内のガス濃度が所定濃度に達すると、吸引用枝管３ｃに接続してある吸引用ポンプ７や供給用枝管３ｄに接続してあるコンプレッサー８を外して、キャップ５で塞いで密閉しておく。
【００２９】
つまり、第１置換工程では、図５（イ）に示すように、吸引用ポンプ７を吸引放出用枝管３ｅに接続して、吸引用ポンプ７の吸引作動で幹管２内及び各枝管３内を大気圧以下に減圧した後、吸引用ポンプ７の吸引作動を停止して開閉弁１を開き、供給用枝管３ｄ及び吸引放出用枝管３ｅ以外の枝管３の端部をキャップ５ｂ，５ｃで塞いである状態で、既設ガス導管４から幹管２に供給用ガス圧力の都市ガスを供給して、その幹管２内の空気を都市ガスで置換した後、幹管２内の圧力が供給用ガス圧力に略達すると、開閉弁１を閉じて、幹管２内の都市ガスと、枝管３内の空気とが混ざり合うように所定時間に亘って放置する。
【００３０】
次に、第２置換工程では、吸引用ポンプ７と吸引放出用枝管３ｅとの接続を外して、或いは、図５（ロ）に示すように、その吸引放出用枝管３ｅにキャップ５ａを緩く装着して、供給用枝管３ｄ及び吸引放出用枝管３ｅ以外の残りの枝管３の端部をキャッップ５ｂ，５ｃで塞いである状態で、コンプレッサー８の作動で供給用ガス圧力（ガス供給用配管Ａの所定圧力）以上の高圧に加圧した都市ガスを、供給用枝管３ｄを通して幹管２に圧入するとともに、吸引放出用枝管３ｅの端部から幹管２内の空気を管外に放出して、その幹管２内の空気を都市ガスで置換した後、吸引放出用枝管３ｅの端部をキャップ５ａで塞いで密閉し、幹管２内の圧力が供給用ガス圧力以上の高圧に達するとコンプレッサー８の作動を停止して、幹管２内の都市ガスと、枝管３内の空気とが混ざり合うように所定時間に亘って放置する。
その他の構成は第１実施形態と同様である。
【００３１】
〔第５実施形態〕
第１実施形態では、枝管３の端部を塞いである状態で、幹管２に都市ガスを供給して、その幹管２内の空気を都市ガスで置換した後、幹管２内の都市ガスと枝管３内の空気とが混ざり合うように放置する置換工程を、放置後の枝管３内のガス濃度が所定濃度に達するまで繰り返したが、枝管３の端部を塞いである状態で、枝管３内のガス濃度が所定濃度に達するまで、幹管２に都市ガスを供給しながら、その幹管２内のガスを外部に放出して、ガス供給用配管Ａ内の空気を都市ガスで置換しても良い。
【００３２】
つまり、図２を援用して説明すると、開閉弁１を開くとともに、放出用枝管３ａの端部を塞いでいるキャップ５ａを緩める、或いは外して、残りの枝管３の端部をキャップ５ｂ，５ｃで塞いである状態で、枝管３内のガス濃度が所定濃度に達するまで、つまり、各ガス濃度センサー６による検出ガス濃度が所定濃度に達するまで、既設ガス導管４から幹管２に供給用ガス圧力の都市ガスを供給するとともに、放出用枝管３ａの端部から幹管２内の空気を管外に放出して、ガス供給用配管Ａ内の空気を都市ガスで置換する。
その他の構成は第１実施形態と同様である。
【００３３】
〔第６実施形態〕
図６，図７は本発明によるエアパージ方法の別実施形態を示し、図６に示すように、ガス供給用配管Ａは、既設ガス導管４と幹管２との接続部近くの都市ガス供給用に流用する枝管（以下、供給用枝管という）３ｄの端部をキャップ５ｆで塞ぐととも、残りの枝管３の端部を、既設ガス導管４からの供給用ガス圧力（０．００２３ＭＰａ程度）よりも高いリリーフ圧力（例えば、０．０１ＭＰａ程度）で管外に連通するように作動可能なリリーフ弁９を設けてあるキャップ５ｅで塞いで地中に埋設してあり、エアパージを実施する際に、図７に示すように、供給用枝管３ｄを掘り起こして、その供給用枝管３ｄに都市ガスを加圧供給可能なコンプレッサー８を接続する。
【００３４】
そして、コンプレッサー８の作動でリリーフ圧力以上の高圧に加圧した都市ガスを、供給用枝管３ｄを通して幹管２に供給して、ガス供給用配管Ａ内の空気を、各リリーフ弁９を通して、都市ガスのガス圧力で押し出すように管外に放出して、ガス供給用配管Ａ内の空気を都市ガスで置換する。
その他の構成は第１実施形態と同様である。
【００３５】
〔第７実施形態〕
図８は、開閉弁１を介して、管端を塞いである幹管２を既設ガス導管４に片押し状に接続するとともに、この幹管２に複数の枝管３を分岐接続してあるガス供給用配管Ａを示し、第１実施形態〜第６実施形態で示したエアパージ方法を、このような形態のガス供給用配管Ａ内の空気を、都市ガスで置換するために使用しても良い。
尚、第６実施形態で示したエアパージ方法を使用する場合は、各枝管３の端部を、リリーフ弁９を設けてあるキャップ５ｅで塞いで地中に埋設しておくことになる。
【００３６】
〔その他の実施形態〕
１．本発明によるエアパージ方法は、ガス供給用配管内の空気を、不活性ガスなどの置換用ガスで置換するために使用しても良い。
２．本発明によるエアパージ方法は、都市ガス以外のガス供給用配管内の空気を、置換用ガスで置換するために使用しても良い。
３．本発明によるエアパージ方法は、第２実施形態において、配管強度上、許容される範囲で低圧に減圧した後、幹管に置換用ガスを供給しても良い。
４．本発明によるエアパージ方法は、第１〜第５実施形態において、幹管内の置換用ガスと枝管内の空気とが混ざり易くなるように、幹管内の置換用ガスと枝管内の空気とが混ざり合うように放置しているときに、置換用ガスの温度や圧力，濃度などを特定の値に設定したり、置換用ガスの圧力を変動させたり、ガス供給用配管に振動を加えたりして実施しても良い。
５．本発明によるエアパージ方法は、全部の枝管の端部を塞いである状態で実施できるように、ガス供給用配管内の空気を管外に放出するための放出部や、吸引ポンプやコンプレッサーを幹管に接続するための接続部を別途設けて実施しても良い。
６．本発明によるエアパージ方法は、枝管内のガス濃度を検出するために、ガス濃度検出用の管を枝管の端部に連通接続して実施しても良い。
【実施例】
【００３７】
本発明によるエアパージ方法の効果を確認するために、図９に示すように、呼び径が５０Ａで長さが５ｍの幹管２に、呼び径が３０Ａで長さが３ｍの枝管３を分岐接続するとともに、幹管２の両端部及び枝管３の端部にキャップ５，１０を装着した実験用模型を作成し、この幹管２の内部に都市ガスを封入して、幹管２内の都市ガスと枝管３内の空気とが混ざり合う（拡散する）状態を調べた。
【００３８】
図１０は、幹管２内の都市ガスと枝管３内の空気とが混ざり合うように放置する置換工程を繰り返す毎の、枝管３内のガス濃度の変化を示し、置換工程を三回程度繰り返すことによって、略１００VOL％のガス濃度に達することが分かる。
【図面の簡単な説明】
【００３９】
【図１】ガス供給用配管の平面図
【図２】エアパージ方法の説明図
【図３】第２実施形態を示す説明図
【図４】第３実施形態を示す説明図
【図５】第４実施形態を示す説明図
【図６】第６実施形態を示す説明図
【図７】第６実施形態を示す説明図
【図８】第７実施形態を示す説明図
【図９】実験用模型の説明図
【図１０】枝管内のガス濃度の変化を示すグラフ
【符号の説明】
【００４０】
２  幹管
３  枝管
４  既設管
９  リリーフ弁
Ａ  ガス供給用配管
【図１】
2006125605.tif 000003
【図２】
2006125605.tif 000004
【図３】
2006125605.tif 000005
【図４】
2006125605.tif 000006
【図５】
2006125605.tif 000007
【図６】
2006125605.tif 000008
【図７】
2006125605.tif 000009
【図８】
2006125605.tif 000010
【図９】
2006125605.tif 000011
【図１０】
2006125605.tif 000012